(57)【要約】【課題】この発明は、従来のパウチにおいて製品を取り出す際に盛り付け用の食器とは別に「ざる」か「器」を用意する必要があったのを不要とするとともに、例えば店頭で商品を陳列する際に「簡易スタンディング機能」を利用して店頭においてスタンディング陳列を選択することでき、また「ピンホール防止機能」を備えた自立型水切り上手パウチを提供しようとするものである。【解決手段】２枚のフィルム状素材を重ねた上で周辺をシールした適宜形状の袋用シートを用意し、該袋用シート底辺のシール部から所定の間隔をおいて、製品落下防止機能を備えた不連続の液切り用シール部を形成したことを特徴とする自立型水切り上手パウチ。【選択図】  図１
2014237484.tif 000002
【特許請求の範囲】
【請求項１】
２枚のフィルム状素材を重ねた上で周辺をシールした適宜形状の袋用シートを用意し、該袋用シート底辺のシール部から所定の間隔をおいて、製品落下防止機能を備えた不連続の液切り用シール部を形成したパウチであって、漬物や水産物、その他の調味液入り食品類を収納した際、液切り用シール部から前記調味液を排液できるようにしたことを特徴とする自立型水切り上手パウチ。
【請求項２】
前記袋用シートは、前記袋用シート底辺のシール部と液切り用シール部との間を開封する液切り開封口を側辺シール部に形成したことを特徴とする請求項１に記載の自立型水切り上手パウチ。
【請求項３】
前記袋用シートは、前記袋用シートの液切り用シール部の上部を開封する製品取出し開封口を側辺シール部に形成したことを特徴とする請求項１または２に記載の自立型水切り上手パウチ。
【請求項４】
前記袋用シートは、前記側辺シール部に形成した製品取出し開封口の近傍にピンホール防止用シール部を形成したことを特徴とする請求項１ないし３のいずれかに記載の自立型水切り上手パウチ。
【請求項５】
前記袋用シートは、前記袋用シートの液切り用シール部とピンホール防止用シール部との組み合わせにより、簡易スタンディング機能を持たせたことを特徴とする請求項１ないし４のいずれかに記載の自立型水切り上手パウチ。
【発明の詳細な説明】
【技術分野】
【０００１】
この発明は、漬物や水産物、その他の調味液入り食品類を収納するのに適した自立型水切り上手パウチに関する。
【背景技術】
【０００２】
従来の漬物類を収納するパウチは、例えばパウチ本体の上部又は下部に製品取出し開封口を持っているのが一般的である。
このようなパウチから製品を取り出す一般的な手順は以下のように行われることが多い。
ア．製品取出し開封口から開封して、予め用意した「ざる」又は「器」に調味液を切りながら製品を取り出す。
イ．「ざる」又は「器」から正規の食器に盛り付けをする。
ウ．場合により「器」より調味液を食器に移す。
【０００３】
しかしながら、製品取出し開封口から開封して、予め用意した「ざる」又は「器」に調味液を切りながら製品を取り出す作業は手間がかかって非常に面倒であった。
そのため、パウチの適所に液切り用シール部を設け、該液切り用シール部と底辺のシール部との間に設けた液切り開封口から開封してあらかじめ液切りのみ行い、その後製品取出し開封口を開封して製品を取り出すようにしたパウチが提案されてきている。
特開平１１−１４７５４２号公報（特許文献１参照）や特開２００７−２１０６７１号公報（特許文献２参照）、特開２０１３−２３２３７号公報（特許文献３参照）等に記載されたものがその例である。
【０００４】
さらに、実開平１−１５４１３４号公報（特許文献４参照）には自立可能なパウチが、また特開２００５−１３１２２１号公報（特許文献５参照）には、側辺シール部にピンホール防止用シール部を付加したパウチがそれぞれ示されている。
【先行技術文献】
【特許文献】
【０００５】
【特許文献１】特開平１１−１４７５４２号公報
【特許文献２】特開２００７−２１０６７１号公報
【特許文献３】特開２０１３−２３２３７号公報
【特許文献４】実開平１−１５４１３４号公報
【特許文献５】特開２００５−１３１２２１号公報
【発明の概要】
【発明が解決しようとする課題】
【０００６】
この発明は、従来のパウチにおいて製品を取り出す際に盛り付け用の食器とは別に「ざる」か「器」を用意する必要があったのを不要とするとともに、例えば店頭で商品を陳列する際に「簡易スタンディング機能」を利用して店頭においてスタンディング陳列を選択することでき、また「ピンホール防止機能」を備えた自立型水切り上手パウチを提供しようとするものである。
【課題を解決するための手段】
【０００７】
すなわちこの発明の自立型水切り上手パウチは、２枚のフィルム状素材を重ねた上で周辺をシールした適宜形状の袋用シートを用意し、該袋用シート底辺のシール部から所定の間隔をおいて、製品落下防止機能を備えた不連続の液切り用シール部を形成したパウチであって、漬物や水産物、その他の調味液入り食品類を収納した際、液切り用シール部から前記調味液を排液できるようにしたことを特徴とするものである。
【０００８】
この発明の自立型水切り上手パウチにおいて、前記袋用シートは、前記袋用シート底辺のシール部と液切り用シール部との間を開封する液切り開封口を側辺シール部に形成したことをも特徴とするものである。
【０００９】
この発明の自立型水切り上手パウチにおいて、前記袋用シートは、前記袋用シートの液切り用シール部の上部を開封する製品取出し開封口を側辺シール部に形成したことをも特徴とするものである。
【００１０】
この発明の自立型水切り上手パウチにおいて、前記袋用シートは、前記側辺シール部に形成した製品取出し開封口の近傍にピンホール防止用シール部を形成したことをも特徴とするものである。
【００１１】
この発明の自立型水切り上手パウチにおいて、前記袋用シートは、前記袋用シートの液切り用シール部とピンホール防止用シール部との組み合わせにより、簡易スタンディング機能を持たせたことをも特徴とするものである。
【発明の効果】
【００１２】
この発明の自立型水切り上手パウチは以上のように構成したので、従来のパウチにおいて製品を取り出す際に盛り付け用の食器とは別に「ざる」か「器」を用意する必要があったのを不要とすることができるようになった。
またこの発明の自立型水切り上手パウチによれば、例えば店頭で商品を陳列する際に従来のこの種のパウチにおいては横置き（寝かせた状態）にせざるを得なかったのを、「簡易スタンディング機能」を利用して店頭においてスタンディング陳列を選択することができるようになった。
またこの発明の自立型水切り上手パウチによれば、「ピンホール防止機能」を備えた自立型水切り上手パウチを提供することが可能となった。
【図面の簡単な説明】
【００１３】
【図１】この発明の自立型水切り上手パウチの１実施例を示す要部拡大正面図である。
【図２】この発明の自立型水切り上手パウチの全体を示すものであり、（ａ）は内容物を充填していない場合の斜視図であり、（ｂ）は内容物を充填し、スタンディング機能を発揮させた場合の斜視図である。
【図３】袋用シート底辺のシール部と液切り用シール部との位置関係を示し、（ａ）はその間隔が２０〜２５ｍｍの場合を、（ｂ）はその間隔が１０〜１５ｍｍの場合を例示した概略図である。
【図４】不連続に形成された液切り用シール部を示し、（ａ）は円形もしくはドーナツ状にシールした場合、（ｂ）は両端を面取りした棒状にシールした場合、（ｃ）は正三角形にシールした場合をそれぞれ例示した概略図である。
【図５】この発明の自立型水切り上手パウチとしての巾着袋の例を示す要部拡大正面図である。
【図６】この発明の自立型水切り上手パウチとしてのラベルシール袋の例を示す要部拡大正面図である。
【発明を実施するための形態】
【００１４】
以下この発明の自立型水切り上手パウチの実施の形態を図面に基いて詳細に説明する。
図１はこの発明の自立型水切り上手パウチの１実施例を示す要部拡大正面図、図２はこの発明の自立型水切り上手パウチの全体を示すものであり、（ａ）は内容物を充填していない場合の斜視図、（ｂ）は内容物を充填し、スタンディング機能を発揮させた場合の斜視図、図３は袋用シート底辺のシール部と液切り用シール部との位置関係を示し、（ａ）はその間隔が２０〜２５ｍｍの場合を、（ｂ）はその間隔が１０〜１５ｍｍの場合を例示した概略図、図４は不連続に形成された液切り用シール部を示し、（ａ）は円形もしくはドーナツ状にシールした場合、（ｂ）は両端を面取りした棒状にシールした場合、（ｃ）は正三角形にシールした場合をそれぞれ例示する概略図である。
また、図５はこの発明の自立型水切り上手パウチとしての巾着袋の例を示す要部拡大正面図、図６はこの発明の自立型水切り上手パウチとしてのラベルシール袋の例を示す要部拡大正面図である。
【００１５】
この発明の自立型水切り上手パウチの１実施例を示す図１において、１１は２枚のフィルム状素材１１ａ，１１ｂを重ねた上でその周囲に側辺及び底辺のシール部１２ａ，１２ｂからなるシール部１２を形成した適宜形状の袋用シートである。
この袋用シート１１には、底辺のシール部１２ｂから所定の間隔をおいて、製品落下防止機能を備えた不連続の液切り用シール部１３が形成してあるので、調味液等の液は袋用シート１１内から液切り用シール部１３の不連続の部分を通って底辺のシール部１２ｂ側へ自由に移動することができる。
【００１６】
そして、前記袋用シート１１の側辺シール部１２ａには、該袋用シート１１底辺のシール部１２ｂと液切り用シール部１３との間を開封する液切り開封口２１が形成してある。
さらに、前記袋用シート１１の側辺シール部１２ａには、前記袋用シート１１の液切り用シール部１３の上部を開封する製品取出し開封口２２が形成してある。
このように構成することにより、この発明の自立型水切り上手パウチは従来のパウチにおいて製品を取り出す際に盛り付け用の食器とは別に「ざる」か「器」を用意する必要があったのを不要とすることができるようになったのである。
【００１７】
すなわち、まず液切り開封口２１から切り取って開封すれば液のみを排出させることができ、次いで製品取出し開封口２２から切り取って開封すれば製品を取り出すことができるのである。
その際、液切り開封口２１から切り取って開封しても、製品が前記袋用シート１１から勝手に飛び出ることはない。
【００１８】
また、この発明の自立型水切り上手パウチにおいては、前記袋用シート１１の前記側辺シール部１２ａに形成した製品取出し開封口２２の近傍、図１においてはやや上部にピンホール防止用シール部２３が形成してある。
このピンホール防止用シール部２３が存在することにより、図２（ａ）に示す自立型水切り上手パウチに図２（ｂ）のように内容物が充填された場合、フィルム状素材１１ａ，１１ｂのピンホール防止用シール部２３に変形や折れ曲がる等の負荷がかかっても、当該箇所におけるピンホールの発生を飛躍的に防止することが可能となった。
【００１９】
図３（ａ）は袋用シート１１底辺のシール部１２ｂと液切り用シール部１３との間隔が２０〜２５ｍｍの場合を示し、図３（ｂ）はその間隔が１０〜１５ｍｍの場合を示している。
この袋用シート１１底辺のシール部１２ｂと液切り用シール部１３との間隔は、後述の液切り開封口２１の操作のし易さや、後述の簡易スタンディング機能が確実に発揮できるか否か等を勘案して適宜決定することができる。
【００２０】
ちなみに、この発明の自立型水切り上手パウチにおける簡易スタンディング機能は、前記袋用シート１１底辺のシール部１２ｂと液切り用シール部１３との間に調味液が充填されて枕状となり、またその上部に調味液が充填された自立型水切り上手パウチが液切り用シール部１３部分で折れ曲がって乗り上げる状態となることにより、安定した状態で自立するようになるのである。
その際、ピンホール防止用シール部２３が前記袋用シート１１の幅方向の広がりを制約するので、調味液が充填された自立型水切り上手パウチが前記袋用シート１１底辺のシール部１２ｂと液切り用シール部１３との間に調味液が充填された枕状部分に確実に搭載され、安定した状態で自立するようになる。
【００２１】
前記液切り用シール部１３は、図４（ａ）のように５〜１０ｍｍ程度の直径の円形もしくはドーナツ状や、図４（ｂ）のように２５〜１００ｍｍ程度の長さで３〜１０ｍｍ程度の幅の両端を面取りした棒状、図４（ｃ）のように５〜１０ｍｍ程度の高さの正三角形とすることができ、台形やひし形、あるいはその他の形状としてもよいことはもちろんである。
【００２２】
図５は前記自立型水切り上手パウチとしての巾着袋の例を示しており、袋用シート１１の上端を樹脂コート付きワイヤ２４等で結束した状態を示すものである。
【００２３】
図６に、この発明の自立型水切り上手パウチをラベルシール袋（三方袋）に適用した例を示す。
３１は２枚のフィルム状素材を重ねた上で、その周囲に側辺及び底辺のシール部３２ａ，３２ｂからなるシール部３２を形成し、上端を充填口３５とした、適宜形状の袋用シートである。
この袋用シート３１には、底辺のシール部３２ｂを幅広に形成するとともに、その一側に所定の幅の液切り用開封口３３を設け、該液切り用開封口３３の内側端部から所定の間隔をおいて、製品落下防止機能を備えた横長の液切り用シール部３４が形成してある。
したがって、調味液等の液は袋用シート３１内から液切り用シール部３４の不連続の部分を通って底辺のシール部３２ｂ側へ自由に移動し、開封した液切り用開封口３３から排出することができる。
すなわち、調味液等の液をプラスチック製等の容器に容易に移し替えることができ、また調味液等の液を捨てる際の手間が省けるようになったのである。
なお、上記製品落下防止機能を備えた液切り用シール部３４の形状やサイズ、またその位置等は、収納する調味液入り食品類に応じて適宜変えることができる。
【産業上の利用可能性】
【００２４】
この発明の自立型水切り上手パウチは、前記漬物や水産物、その他の調味液入り食品類を収納するに適したパウチとしてのみならず、他の食品類やその他の食品類以外の内容物を収納するためのパウチにも適用できる。
【符号の説明】
【００２５】
１１  袋用シート
１１ａ，１１ｂ  フィルム状素材
１２  シール部
１２ａ  側辺シール部
１２ｂ  底辺シール部
１３  液切り用シール部
２１  液切り開封口
２２  製品取出し開封口
２３  ピンホール防止用シール部
２４  樹脂コート付きワイヤ
３１  袋用シート
３２ａ  側辺シール部
３２ｂ  底辺シール部
３３  液切り用開封口
３４  液切り用シール部
３５  充填口
【図１】
2014237484.tif 000003
【図２】
2014237484.tif 000004
【図３】
2014237484.tif 000005
【図４】
2014237484.tif 000006
【図５】
2014237484.tif 000007
【図６】
2014237484.tif 000008